(57)【要約】【課題】衝突の場合に、子供を守るために適用できる安全装置を提供する。【解決手段】本発明の安全装置は、柔軟性を有する壁を備え、空気で満たされたチャンバー（１）と、チャンバー（１）が強く押圧されたときに、空気の連続的な流出を容易にするためのニップル（５）とを備えていることを特徴としている。ニップル（５）は、チャンバー（１）を占めている空気が低圧下において偶発的に流出することを防ぐため、および、チャンバー（１）に高圧がかかった場合に、空気の流出を促進するための弁手段（６）を備えている。チャンバー（１）は、好ましくは、複数の部分（２、３および４）に分割されており、各部分は、空気を流出させるためのニップル（５）を備えている。チャンバー（１）および弁手段（６）は、幼児用座席のバックレスト（８）が有する相補的な側方部材（７）の内部、および、バックレスト（８）が有するヘッドレスト（１０）の相補的な側方部材（９）の内部に配置されている。【選択図】図１
2008265746.tif 000002
【特許請求の範囲】
【請求項１】
幼児用座席に適用できる、衝突安全装置であって、
柔軟性を有する壁を備え、空気で満たされたチャンバー（１）と、
前記チャンバー（１）が強く押圧されたときに、前記空気の連続的な流出を容易にするためのニップル（５）とを備え、
前記チャンバー（１）は、複数の部分（２、３および４）に分割されており、
前記各部分は、前記空気を流出させるためのニップル（５）を備え、
前記ニップル（５）は、前記チャンバー（１）を占めている空気が低圧下において偶発的に流出することを防ぐため、および、前記チャンバー（１）に高圧がかかった場合に、前記空気の流出を促進するための弁手段（６）を備えていることを特徴とする衝突安全装置。
【請求項２】
前記チャンバー（１）および前記弁手段（６）は、前記幼児用座席のバックレスト（８）が有する相補的な側方部材（７）の内部、および、前記バックレスト（８）が有するヘッドレスト（１０）の相補的な側方部材（９）の内部に配置されていることを特徴とする、請求項１に記載の衝突安全装置。
【請求項３】
前記チャンバー（１）は、堅い背面シェル（１１）と変形可能な前面板（１２）との間に形成される空き空間内に配されており、
前記背面シェル（１１）および前面板（１２）は、前記側方部材（７および９）を形成することを特徴とする、請求項１または２に記載の衝突安全装置。
【発明の詳細な説明】
【技術分野】
【０００１】
本発明は、衝突安全装置に関するものである。
【背景技術】
【０００２】
子供用のために設計され、子供の安全のために、通常、車の後部座席に据え付ける座席には、いくつかの種類が存在している。該座席は、ヘッドレストが設けられたバックレスト（背もたれ）を有し、該バックレストおよび該ヘッドレストは、それぞれ相補的な側方部材を備えている。
【０００３】
欧州特許第０９３１６９４号明細書は、車に適用できる幼児用座席に関連する。その幼児用座席は、バックレストの各側面に、子供の頭をそれぞれ保護する保護部材を有している。該保護部材は、衝突した場合に空気を流出させるような、柔軟性を有するエアチャンバーを用いてそれぞれ組み立てられている。
【発明の開示】
【発明が解決しようとする課題】
【０００４】
本発明は、このような種類の座席に適用でき、衝突の場合に、子供を守る、すなわち、主として子供の頭およびわき腹を守るために適用できる安全装置を提供することを目的としている。
【課題を解決するための手段】
【０００５】
本発明の安全装置は、空気で満たされた、柔軟性を有する壁を備えたチャンバーを用いて組み立てられ、該チャンバーが強く押圧されたときに、前記空気の連続的な流出を促すためのニップルを有している。該ニップルは、前記チャンバーを占めている空気が低圧下において偶発的に流出することを防ぐため、および、前記チャンバーに高圧がかかった場合に、前記空気の流出を促進するための弁手段を備えている。
【０００６】
チャンバーは、好ましくは、いくつかの部分に分割され、分割された部分は、衝突の力に応じた異なる圧力を制御するための位置に配置される。そして、そのチャンバーは、幼児用座席のバックレストの相補的な側方部材、および、前記バックレストに設けられたヘッドレストの相補的な側方部材の内部に配置される。
【０００７】
これらの特徴点および他の特徴点は、下記の詳細な説明により、より明らかになるであろう。下記の詳細な説明は、実用的な実施形態を示す添付の図面により、理解しやすくなるであろう。しかし、下記の実施形態は、例示のために引用されたものであり、本発明の範囲を制限するものではない。
【発明の効果】
【０００８】
本発明の衝突安全装置は、柔軟性を有する壁を備え、空気で満たされたチャンバー（１）と、前記チャンバー（１）が強く押圧されたときに、前記空気の連続的な流出を容易にするためのニップル（５）とを備え、前記チャンバー（１）は、複数の部分（２、３および４）に分割されており、前記各部分は、前記空気を流出させるためのニップル（５）を備え、前記ニップル（５）は、前記チャンバー（１）を占めている空気が低圧下において偶発的に流出することを防ぐため、および、前記チャンバー（１）に高圧がかかった場合に、前記空気を流出させることを容易にするための弁手段（６）を備えている。
【０００９】
それゆえ、衝突の場合に、子供を守るために適用できる安全装置を提供することができる。
【発明を実施するための最良の形態】
【００１０】
添付の図面によれば、本発明の対象である安全装置は、柔軟性を有する壁を備えた、プラスチック材料の、空気で満たされたチャンバー（１）を用いて組み立てることを特徴としている。チャンバー（１）は、好ましくは、複数の独立した部分（２、３および４）に分割されている。各部分は、低圧下において前記空気が偶発的に流出することを防ぐため、および、部分（２、３および４）が強く押圧されたときに前記空気が流出するのを容易にするための弁手段（６）を有するニップル（５）を備えている。
【００１１】
チャンバー（１）および弁手段（６）は、座席のバックレスト（８）の相補的な側方部材（７）の内部、および、バックレスト（８）に設けられたヘッドレスト（１０）の相補的な側方部材（９）の内部に配置されている。また、チャンバー（１）および弁手段（６）は、堅い外側シェル（１１）と、変形可能な、通常「Porex（商品名）」からなる前面板（１２）との間にできた空き空間内に配置されている。これらの堅い外側シェル（１１）および前面板（１２）は、上述の相補的な側方部材を形成する。
【００１２】
符号（１３）は、座席（図示せず）に対して、バックレスト（８）を取り外し可能なように、かつ、連接するように取り付けるための接続リンクを示している。
【００１３】
激しい衝突の場合において、子供の頭とわき腹は、前面板（１２）を変形させることにより、バックレスト（８）およびヘッドレスト（１０）の相補的な側方部材（７および９）の中に据え付けたエアチャンバー（１）に押し付けられる。これにより部分（２、３および４）に含まれた空気の連続的な流出が促進され、従って、衝突の影響が弱められる。
【図面の簡単な説明】
【００１４】
【図１】本発明の対象である装置を構成するチャンバーの斜視図である。
【図２】バックレストに設けられたヘッドレストの相補的な側方部材の１つにおける前記チャンバーの配置を示す正面図である。
【図３】前記チャンバーのニップルに作用する弁手段の一例を示す縦断面図である。
【図４】安全装置が備えられたバックレストの正面図を示す。
【図１】
2008265746.tif 000003
【図２】
2008265746.tif 000004
【図３】
2008265746.tif 000005
【図４】
2008265746.tif 000006